(57)【要約】      （修正有）【課題】  ３個又はそれ以上の所定数のマガジンが写真処理装置にセット可能な場合に、各マガジンの印画紙の品質低下を可及的に防止する。【解決手段】  各マガジン１１，１２，１３に収納される印画紙の残量情報を記憶する残量情報記憶部８２１と、残量比較部８１７と、各マガジンが装置にセットされた時点を特定する時間情報記憶部８２２と、時間情報記憶部８２２の時間情報から現在までの経過時間を算出する経過時間算出部８１６と、各経過時間の長短を比較する経過時間比較部８１８と、残量比較部８１７の判断結果に基づき、各印画紙の残量が異なるときは印画紙が最少のマガジンを選択し、各印画紙の残量が同一であるときは、経過時間比較部８１８の判断結果を用いて、経過時間が最長のマガジンを選択するマガジン選択部８１９とを備える。【選択図】      図２
2006184771.tif 000002
【特許請求の範囲】
【請求項１】
印画紙が収容された複数の印画紙収容部が装置本体に装脱可能にされ、選択された印画紙搬送部から個別に印画紙を搬出し、この印画紙上に写真画像を露光する写真処理装置であって、
印画紙の残量を前記印画紙収容部毎に検出する残量検出手段と、
前記残量検出手段によって検出された各印画紙の残量を相互に比較する残量比較手段と、
前記印画紙収容部が装置にそれぞれセットされた時点を特定する時間情報を取得する取得手段と、
前記取得手段で取得されたそれぞれの時間情報から経過時間の長短を比較する経過時間比較手段と、
前記残量比較手段の判断結果に基づき、各印画紙の残量が異なるときは印画紙の残量が最少の印画紙収容部を選択し、各印画紙の残量が同一であるときは、前記経過時間比較手段の判断結果を用いて、経過時間が最長の印画紙収容部を選択する選択手段とを備えたことを特徴とする写真処理装置。
【請求項２】
前記複数の印画紙収容部は、少なくとも３個又はそれ以上であることを特徴とする請求項１記載の写真処理装置。
【請求項３】
前記経過時間比較手段は、写真処理中に前記選択手段によって選択された印画紙収容部の印画紙の残量が無くなった場合、他の印画紙収容部に収容された印画紙の時間情報を比較することを特徴とする請求項２記載の写真処理装置。
【発明の詳細な説明】
【技術分野】
【０００１】
本発明は、印画紙が収容された複数の印画紙収納部から印画紙を搬出し、この印画紙上に写真画像を露光する写真処理装置に関する。
【背景技術】
【０００２】
従来、印画紙が収納可能な２つのマガジンを備え、同種の印画紙が収納されている場合に、印画紙の残量が少ないマガジン又は印画紙の残量が同じであるときに、予め優先的な使用が決められたマガジンから、印画紙を繰り出して、所定寸法にカットした後、このカットされた印画紙片を搬送してプリント処理を行う写真処理装置が知られている。この場合、優先的な使用が決められたマガジンの印画紙が使い切られ、印画紙が補充されると、再度同じマガジンの印画紙が使用されることになり兼ねない。これが繰り返されると、他方のマガジンに収納された印画紙はいつまでも使用されず、経時変化によって品質が劣化するという問題点があった。
【０００３】
また、マガジン内の印画紙の残量が所定量以下又は０になると、自動的に別のマガジンから印画紙を搬送してプリント処理を行う写真処理装置も知られている（例えば、特許文献１参照）。この場合、２つのマガジンの印画紙を交互に使用することができ、印画紙の品質劣化を防止することができる。
【特許文献１】特開２００１−１６６３９２号公報
【発明の開示】
【発明が解決しようとする課題】
【０００４】
さらに、最近では、デジタルプリントの普及に伴い、３つのマガジンを備えた写真処理装置も知られている。マガジンの個数が増える程、各マガジンに収納された印画紙の使用期限の管理を正確に行うことが必要となり、マガジンを交互に使用するだけでは、印画紙の品質劣化を確実に防止することができない。
【０００５】
本発明は上記状況に鑑みてなされたものであって、３個又はそれ以上の所定数の印画紙収容部がセット可能な場合に、各印画紙収容部の印画紙の品質低下を可及的に防止し、有効かつ、効率の良い印画紙の利用を実現し得る写真処理装置を提供することを目的とする。
【課題を解決するための手段】
【０００６】
本発明の請求項１に係る写真処理装置は、印画紙が収容された複数の印画紙収容部が装置本体に装脱可能にされ、選択された印画紙搬送部から個別に印画紙を搬出し、この印画紙上に写真画像を露光する写真処理装置であって、印画紙の残量を前記印画紙収容部毎に検出する残量検出手段と、前記残量検出手段によって検出された各印画紙の残量を相互に比較する残量比較手段と、前記印画紙収容部が装置にそれぞれセットされた時点を特定する時間情報を取得する取得手段と、前記取得手段で取得されたそれぞれの時間情報から経過時間の長短を比較する経過時間比較手段と、前記残量比較手段の判断結果に基づき、各印画紙の残量が異なるときは印画紙の残量が最少の印画紙収容部を選択し、各印画紙の残量が同一であるときは、前記経過時間比較手段の判断結果を用いて、経過時間が最長の印画紙収容部を選択する選択手段とを備えたことを特徴とする。
【０００７】
上記構成によれば、残量検出手段によって印画紙の残量が印画紙収容部毎に検出され、各印画紙の残量が残量比較手段によって相互に比較される。また、経過時間比較手段によって取得手段で取得されたそれぞれの時間情報から、経過時間の長短が比較される。そして、選択手段によって、残量比較手段の判断結果に基づき、印画紙の各残量が異なるときは印画紙の残量が最少の印画紙収容部が選択され、一方、各印画紙の残量が同一であるときは、経過時間比較手段の判断結果を用いて、経過時間が最長の印画紙収容部が選択される。従って、１つの印画紙収容部の使用が終わると他の印画紙収容部の中から経過期間が最長の印画紙収容部が優先的に使用されることとなり、各印画紙収容部の印画紙の品質低下が可及的に防止されることとなる。なお、印画紙の残量が異なるときは、経過時間比較手段の動作を省くようにしてもよい。
【０００８】
本発明の請求項２に係る写真処理装置は、請求項１記載の写真処理装置において、前記複数の印画紙収容部は、少なくとも３個又はそれ以上であることを特徴とする。
【０００９】
上記構成によれば、複数の印画紙収容部が、少なくとも３個又はそれ以上の場合でも、１つの印画紙収容部の使用が終わると他の印画紙収容部の中から経過時間の最長の印画紙収容部が優先的に使用されることとなり、各印画紙収容部の印画紙の品質低下が可及的に防止されることとなる。特に設置可能な印画紙収容部の個数が多い装置については、各印画紙収容部がいわゆるサイクリック的な順で選択されることとなるので、この効果がより一層効果的となる。
【００１０】
本発明の請求項３に係る写真処理装置は、請求項２記載の写真処理装置において、前記経過時間比較手段は、写真処理中に前記選択手段によって選択された印画紙収容部の印画紙の残量が無くなった場合、他の印画紙収容部に収容された印画紙の時間情報を比較することを特徴とする。
【００１１】
上記構成によれば、選択手段によって選択された印画紙収容部の印画紙の残量が写真処理によって無くなった場合、経過時間比較手段によって、他の印画紙収容部に収容された印画紙の時間情報が比較され、このため選択手段によって他の（残りの）印画紙収容部のうちから経過時間が最長の印画紙収容部が選択される。これにより、写真処理中に１つの印画紙収容部の使用が終わると次に経過時間の長い印画紙収容部が選択され使用されることとなり、各印画紙収容部の印画紙の品質低下が可及的に防止されることとなる。また、印画紙収容部の補充や他の印画紙収容部から印画紙を供給するための切替操作を行わずに自動的に次に使用する印画紙収容部が選択されるので、作業の効率化が図られる。
【発明の効果】
【００１２】
本発明の請求項１に係る写真処理装置によれば、１つの印画紙収容部の使用が終わると他の印画紙収容部の中から経過時間が最長の印画紙収容部を選択し使用するので、各印画紙収容部の印画紙の品質低下を可及的に防止することができる。
【００１３】
本発明の請求項２に係る写真処理装置によれば、少なくとも３個又はそれ以上の場合でも、１つの印画紙収容部の使用が終わると他の印画紙収容部の中から経過時間が最長の印画紙収容部を選択し使用するので、各印画紙収容部の印画紙の品質低下を可及的に防止することができる。特に設置可能な印画紙収容部の個数が多い装置については、各印画紙収容部がいわゆるサイクリック的な順で選択されることとなるので、この効果がより一層効果的となる。
【００１４】
本発明の請求項３に係る写真処理装置によれば、写真処理中に１つの印画紙収容部の使用が終わると次に経過時間の長い印画紙収容部を選択するので、各印画紙収容部の印画紙の品質低下を可及的に防止することができる。また、印画紙収容部の補充や他の印画紙収容部から印画紙を供給するための切替操作を行わずに自動的に次に使用する印画紙収容部を選択するので、作業の効率化を図ることができる。
【発明を実施するための最良の形態】
【００１５】
図１は、本発明に係る写真処理装置の一実施形態を示す概略構成図である。
【００１６】
写真処理装置は、撮影画像データや、画像のプリントサイズ、枚数等のプリント条件を入力するための入力画面などを表示するための表示部１と、所定の画像処理やプリント処理の指示を入力するためのキーボード、マウス等の入力部２と、印画紙の搬送路Ｌ上に設けられた楔形状の上切断刃３０２、下切断刃３０３からなるカッタ３０１を備え、マガジン１１，１２，１３から送り出された印画紙を所定寸法にカットするカット部３０と、印画紙の搬送路Ｌ上に設けられ、画像データを光信号に変換して、搬送中の印画紙片に露光する露光ヘッドを含む露光部４０と、現像液の充填された液槽５０１を備え、露光部４０で露光された印画紙片を液槽５０１内の現像液に浸漬させることにより、印画紙片上の画像を現像する現像処理部５０と、装置本体に着脱可能に装着されるマガジン１１，１２，１３のうち選択されたマガジンから印画紙を引き出し、搬送路Ｌに送り出す搬送ローラ対６０１、６０３，６０５及び搬送モータ６０２，６０４，６０６を備えた搬出部６０と、各搬送モータ６０２，６０４，６０６を駆動するモータ駆動部７０と、装置全体の動作を制御する制御部８０とを備える。
【００１７】
モータ駆動部７０は、制御部８０によってマガジン１１からの印画紙の供給が指示された場合は、モータ６０２を駆動し、制御部８０によってマガジン１２からの印画紙の供給が指示された場合は、モータ６０４を駆動し、制御部８０によってマガジン１３からの印画紙の供給が指示された場合は、モータ６０６を駆動する。
【００１８】
マガジンセンサ２１、２２，２３は、それぞれマガジン１１、１２，１３の装填位置に近接して設けられており、マガジン１１、１２、１３から印画紙の種類等を特定する識別情報を読み取り、読み取った識別情報を制御部８０に送信する。ここで、識別情報には、印画紙の種類を特定する情報、即ち、印画紙の幅寸法を特定するサイズ情報、印画紙の全長を特定する長さ情報、面質を特定するための品質情報等が含まれている。
【００１９】
図２はマガジンの種類すなわち印画紙の種類を認識するための構造の一例を示す説明図である。マガジンカバー１１０の下面側（図では右側）の適所には遮光部材１１１が立設され、この遮光部材１１１に所定個数の本実施形態では５つの遮光体１１２、１１３…１１６が所定間隔で一列に配設されている。遮光体１１２、１１３…１１６は、それぞ長孔の略半分のサイズを有し、長孔に装着された状態で前後に（図では左右）にスライド可能にされている。マガジンセンサ２１は、それぞれ発光素子と受光素子とが所定箇所において対向する所定数のフォトインタラプタ２１１、２１２、…、２１５がマガジン台２１０の上面側（図では左側）に遮光体１１２、１１３…１１６と同一の間隔で配列されており、マガジン１１がマガジン台２１０に装着された状態で、上記フォトインタラプタ２１１、２１２、…、２１５の発光素子と受光素子との間に遮光体１１２、１１３…１１６がそれぞれ位置するようにされている。
【００２０】
そして、遮光部材１１１の各遮光体１１２、１１３…１１６でそれぞれ遮光／透光のいずれであるかをセットでき、このセットにより印画紙をコード化して情報となすようにしている。図の例においては、例えば透光を「１」、遮光を「０」とすれば、「１００１０」という５桁のコード情報が得られる。この場合、例えば最初の２桁で印画紙の幅寸法（サイズ）を表し、次の２桁で印画紙の全長を表し、最後の１桁で面質を表すようにしてもよく、この関係は印画紙毎にコード情報と対応して予め制御部８０の記憶部（例えばＲＯＭ８３）に登録されている。
【００２１】
各フォトインタラプタ２１１、２１２、…、２１５には、図略の信号出力ラインがそれぞれ結線されており、制御部８０はこれらの信号出力ラインを介して読み取られた識別情報を取り込むようになっている。マガジンセンサ２２，２３は、マガジンセンサ２１と同一構造を有している。
【００２２】
図３は、図１に示す写真処理装置のブロック構成図である。
【００２３】
制御部８０は、ＣＰＵ８１（Central  Processing   Unit）、ＣＰＵ８１の作業領域であるＲＡＭ８２（Random  Access  Memory）、及び装置各部の動作を制御する処理プログラム、表示部１に表示される案内画面の画像データ等を記憶するＲＯＭ８３(Read   Only   Memory)を備える。
【００２４】
ＲＡＭ８２は、残量情報記憶部８２１及び時間情報記憶部８２２を備える。残量情報記憶部８２１は、各マガジン１１，１２，１３に収納される印画紙の残量情報を記憶するものである。時間情報記憶部８２２は、各マガジン１１，１２，１３がそれぞれ装置にセットされた時点を特定する時間情報を記憶するものである。
【００２５】
ＣＰＵ８１は、プリント条件受付部８１０、サイズ判定部８１１、残量設定部８１２、時間設定部８１３、時計８１４、残量算出部８１５、経過時間算出部８１６、残量比較部８１７、経過時間比較部８１８、マガジン選択部８１９及び印画紙検知部８２０を備える。プリント条件受付部８１０は、入力部２から入力される画像データのプリント枚数、プリントサイズ等のプリント条件データを受け付ける。サイズ判定部８１１は、入力部２から入力されたプリントサイズ情報と、マガジンセンサ２１，２２，２３から受信した識別情報に含まれるサイズ情報とを比較し、プリントサイズに適合する、即ちプリントサイズの縦寸法と同一又は少なくとも大きい幅寸法を有する印画紙を収納するマガジンが装着されているか否かを判断するものである。
【００２６】
残量設定部８１２は、各マガジン１１，１２，１３が装置本体に装着された時に、マガジンセンサ２１，２２，２３から受信した識別情報に含まれる長さ情報を各マガジン１１，１２，１３を特定する識別情報と共に残量情報記憶部８２１に記憶する。時間設定部８１３は、各マガジン１１，１２，１３が装置本体に装着されて、マガジンセンサ２１，２２，２３から識別情報が受信された時の時刻を時計８１４から取り込んで、各マガジン１１，１２，１３を特定する識別情報と共に時間情報記憶部８２２に記憶する。
【００２７】
残量算出部８１５は、プリント条件受付部８１０によって受け付けたプリント条件データに含まれるプリントサイズとプリント枚数から、プリント処理によって使用される印画紙の長さを算出し、この算出値を残量情報記憶部８２１に記憶されるマガジン選択部８１９によって選択されたマガジンの印画紙の残量から減算して、印画紙の残量を更新するものである。なお、残量算出部８１５は、これに限定されず、各マガジン１１，１２，１３の印画紙の実際の搬送量を各搬送モータ６０２，６０４，６０６の回転量等を利用して算出する態様でもよい。
【００２８】
経過時間算出部８１６は、時間情報記憶部８２２に記憶されている各マガジン１１，１２，１３の時間情報と、時計８１４から得られる現在の時刻から、逆算して各マガジン１１，１２，１３が装置にセットされた時点、またはその時点からの経過時間を求めるものである。なお、経過時間算出部８１６は、これに限定されずに、時間情報記憶部８２２に記憶される各マガジン１１，１２，１３の時間情報を記憶時点から所定時間単位で、例えば１時間毎に１ずつカウントアップするカウンタを有し、このカウンタ値から経過時間を求めるようにしてもよい。
【００２９】
残量比較部８１７は、残量情報記憶部８２１に記憶されている各マガジン１１，１２，１３の印画紙の残量を相互に比較するものである。経過時間比較部８１６は、経過時間算出部８１６によって得られた各マガジン１１，１２，１３の経過時間を比較するものである。
【００３０】
マガジン選択部８１９は、残量比較部８１７での（比較）判断結果に基づき、各マガジン１１，１２，１３内の印画紙の残量が異なるときは印画紙の残量が最少のマガジンを選択し、一方、各マガジン内１１，１２，１３内の印画紙の残量が同一であるときは、経過時間比較部８１８の判断結果を用いて、経過時間が最長のマガジンを選択する指示を行うものである。マガジン選択部８１９は、各マガジン１１，１２，１３内の印画紙の残量が同一であり、かつ、各経過時間が同一の場合は、所定の順序に従ってマガジンを選択する。ここでは、マガジン選択部８１９は、例えば、印画紙の搬送経路が直線であり、搬送途中で印画紙が詰りにくいマガジン１２を最初に選択し、次にマガジン１１、１３の順番で選択する。
【００３１】
印画紙検知部８２０は、各マガジン１１，１２，１３の印画紙の搬出口近傍にそれぞれ設けられて、搬送途中の印画紙の有無を検出するためのセンサ（図示省略）から信号を受信し、その信号の状態によって、マガジン１１，１２，１３に印画紙が残っているか否かの検知を行うものである。
【００３２】
なお、サイズ判定部８１１は、プリントサイズに適合し得るサイズの印画紙を収納したマガジンを特定し、残量算出部８１５、経過時間算出部８１６、残量比較部８１７、経過時間比較部８１８、マガジン選択部８１９による各処理は、適合したマガジンが２つ以上の場合にそれらのマガジン間で行われるようにするものである。
【００３３】
図４はプリント開始時にＣＰＵ８１により行われるマガジンの選択処理を示すフローチャートである。本実施形態では、印画紙の幅寸法，全長等が同一種類の３機のマガジン１１，１２，１３が装置本体に装着され、各マガジン１１，１２，１３の印画紙のサイズが入力部２によって入力されるプリントサイズに適合するものとする。
【００３４】
表示部１には、フィルム等の記録媒体から取り込まれた画像データ、プリント枚数、及びプリントサイズ等のプリント条件を設定するための設定画面が表示され、入力部２によってプリント条件の設定操作及びプリント開始指示の入力操作が行われると、プリント条件受付部８１０によって設定されたプリント条件及びプリント開始指示が受け付けられる（ステップＳ１）。
【００３５】
次に、残量比較部８１７によって残量情報記憶部８２１に記憶されている各マガジン１１，１２，１３の印画紙の残量が相互に比較され、（ステップＳ３）、各印画紙の残量が同一であるか否かが判断される（ステップＳ５）。その結果、各印画紙の残量が異なるときは（ステップＳ５でＮｏ）、マガジン選択部８１９によって印画紙の残量が最少のマガジンが選択される（ステップＳ７）。
【００３６】
各印画紙の残量が同一であるときは（ステップＳ５でＹｅｓ）、経過時間算出部８１６によって、各マガジン１１，１２，１３の時間情報が時間情報記憶部８２２から読み出され、これらの時間情報及び時計８１４から得られた現在の時刻から各マガジン１１，１２，１３が装置にセットされた時点から現在までの経過時間が求められる（ステップＳ９）。経過時間比較部８１８によって各マガジン１１，１２，１３の経過時間が相互に比較され（ステップＳ１１）、各経過時間が同一であるか否かが判断される（ステップＳ１３）。各経過時間が異なるときは（ステップＳ１３でＮｏ）、マガジン選択部８１９によって、経過時間が最長のマガジンが選択され（ステップＳ１５）、一方、各経過時間が同一のときは（ステップＳ１３でＹｅｓ）、マガジン選択部８１９によって、所定の順序に従ってマガジンが選択される（ステップＳ１７）。
【００３７】
続いて、残量算出部８１５によって、プリント条件受付部８１０によって受け付けたプリント条件データに含まれるプリントサイズとプリント枚数から印画紙の使用量が求められる（ステップＳ１９）。さらに、残量算出部８１５によって、残量情報記憶部８２１に記憶されているマガジン選択部８１９により選択されたマガジンの印画紙の残量から印画紙の使用量が減算され、印画紙の残量の更新が行われる（ステップＳ２１）。
【００３８】
このように複数のマガジン１１，１２，１３に収納される各印画紙の残量を比較し、各印画紙の残量が異なるときは印画紙が最少のマガジンを選択し、各印画紙の残量が同一であるときは、各マガジン１１，１２，１３の経過時間を比較し、経過時間の長いマガジンを選択するので、１つのマガジンの使用が終了すると、残りのマガジンの中から経過時間が長いマガジンを優先的に使用することができ、各マガジン１１，１２，１３の印画紙の品質低下を可及的に防止することができる。
【００３９】
次に、写真処理中にマガジン選択部８１９によって選択されたマガジンの印画紙の残量が無くなった場合のＣＰＵ８１の処理について説明する。経過時間算出部８１６は、マガジン選択部８１９によって選択されたマガジン、例えばマガジン１１の印画紙の残量が写真処理中に無くなったことが印画紙検知部８２０によって検知された場合、他の２つのマガジン１２，１３の時間情報を時間情報記憶部８２２から読み出し、これらの時間情報及び時計８１４から得られた現在の時刻から各マガジン１２，１３が装置にセットされた時点から現在までの経過時間を求める。経過時間比較部８１８は、経過時間算出部８１６によって算出された２つのマガジン１２，１３の経過時間を相互に比較する。
【００４０】
図４は、写真処理中にマガジン選択部８１９によって選択された例えばマガジン１１の印画紙の残量が無くなった場合のＣＰＵ８１の処理を示すフローチャートである。印画紙検知部８２０によってマガジン選択部８１９によって選択されたマガジン１１の印画紙が無くなったか否かが判断され（ステップＳ５１）、印画紙が無くなった時点（ステップＳ５１でＹｅｓ）でステップＳ５３に進む。ステップＳ５３において、経過時間算出部８１６によって、他の２つのマガジン１２，１３の時間情報が時間情報記憶部８２２から読み出され、これらの時間情報及び時計８１４から得られた現在の時刻から各マガジン１２，１３が装置にセットされた時点から現在までの経過時間が求められる。そして、経過時間比較部８１８によって、経過時間算出部８１６によって得られた２つのマガジン１２，１３の経過時間が相互に比較され（ステップＳ５５）、２つのマガジン１２，１３の経過時間が同一であるか否かが判断される（ステップＳ５７）。その結果、２つのマガジン１２，１３の経過時間が異なるときは（ステップＳ５７でＮｏ）、マガジン選択部８１９によって、経過時間が長いマガジンが選択され（ステップＳ６１）、２つのマガジン１２，１３の経過時間が同一のときは（ステップＳ５７でＹｅｓ）、マガジン選択部８１９によって、所定の順序に従ってマガジンが選択される（ステップＳ５９）。
【００４１】
続いて、残量算出部８１５によって、プリント条件受付部８１０によって受け付けたプリント条件データに含まれるプリントサイズとプリント枚数から印画紙の使用量が求められる（ステップＳ６３）。残量算出部８１５によって、残量情報記憶部８２１に記憶されているマガジン選択部８１９により選択されたマガジンの印画紙の残量から印画紙の使用量が減算され、印画紙の残量の更新が行われる（ステップＳ６５）。
【００４２】
このように、写真処理中にマガジン選択部８１９によって選択されたマガジン１１の印画紙の残量が無くなった場合は、他のマガジン１２，１３の経過時間を相互に比較し、経過時間の長いマガジンを選択するので、１つのマガジンの使用が終わると次に経過時間の長いマガジンを使用するという、いわゆるサイクリック的な使用が実現し得るので、各マガジン１１，１２，１３の印画紙の品質低下を可及的に防止することができる。また、マガジンの補充や他のマガジンから印画紙を供給するための切替操作を行わずに自動的に次に使用するマガジンを選択するので、作業の効率化を図ることができる。
【００４３】
なお、本実施形態では、プリントサイズに適合する幅寸法の印画紙を有する３個のマガジンが装置本体に装着されているが、例えば２つのマガジンのみがプリントサイズに適合する場合は、この２つのマガジンに対し本発明を適用することも可能である。
【００４４】
また、本実施形態では、装置本体に３個のマガジンが装着可能であるが、装着可能なマガジンの個数はこれに限らず、４個以上でもよく、又は２個の場合でも本発明の適用は可能である。
【図面の簡単な説明】
【００４５】
【図１】本発明に係る写真処理装置の一実施形態を示す概略構成図である。
【図２】マガジンの種類すなわち印画紙の種類を認識するための構造を示す説明図である。
【図３】図１に示す写真処理装置のブロック構成図である。
【図４】プリント開始時にＣＰＵにより行われるマガジンの選択処理を示すフローチャートである。
【図５】写真処理中にマガジン選択部によって選択されたマガジンの印画紙の残量が無くなった場合のＣＰＵの処理を示すフローチャートである。
【符号の説明】
【００４６】
１  表示部
２  入力部
１１，１２，１３  マガジン
２１，２２，２３  マガジンセンサ
３０  カット部
４０  露光部
５０  現像処理部
６０  搬出部
６０１，６０３，６０５  搬送ローラ対
６０２，６０４，６０６  搬送モータ
７０  モータ駆動部
８０  制御部
８１  ＣＰＵ
８１０  プリント条件受付部
８１１  サイズ判定部
８１２  残量設定部
８１３  時間設定部
８１４  時計
８１５  残量算出部
８１６  経過時間算出部
８１７  残量比較部
８１８  経過時間比較部
８１９  マガジン選択部
８２０  印画紙検知部
８２  ＲＡＭ
８２１  残量情報記憶部
８２２  時間情報記憶部
８３  ＲＯＭ
【図１】
2006184771.tif 000003
【図２】
2006184771.tif 000004
【図３】
2006184771.tif 000005
【図４】
2006184771.tif 000006
【図５】
2006184771.tif 000007